【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
所定間隔を存して平行に配設される複数の像担持体と、
これら複数の像担持体上に現像剤像を形成する複数の現像剤像形成手段と、
駆動ローラと従動ローラとの間に掛け渡されて前記複数の像担持体に対向して配置され、走行することにより前記複数の像担持体に対し順次、転写材を搬送するベルトと、
前記駆動ローラと従動ローラの少なくとも一方の端面に平行に設けられ、前記ベルトの走行時にその端縁を規制面に摺動させて前記ベルトの蛇行を規制する規制手段と、
この規制手段に突設されて前記ベルトに離間対向し、前記ベルトの走行時にその端縁が捲れ上がらないようにガイドするガイド部と、
を具備することを特徴とする画像形成装置。
【請求項２】
前記駆動及び従動ローラの外周面から前記規制手段のガイド部までの距離をＳｍｍ、前記ベルトの厚さをＴｍｍとしたとき、
Ｓｍｍ＜１５Ｔｍｍ
の関係を有することを特徴とする請求項１記載の画像形成装置。
【請求項３】
前記規制手段のガイド部の突出長さをＬｍｍ、前記ベルトの厚さをＴｍｍとしたとき、
Ｌｍｍ＜２０Ｔｍｍ
の関係を有することを特徴とする請求項１記載の画像形成装置。
【請求項４】
前記規制手段のガイド部のベルト導入側の端部に面取り加工を施したことを特徴とする請求項１記載の画像形成装置。
【請求項５】
前記規制手段のガイド部の突出方向側の端部に面取り加工を施したことを特徴とする請求項１記載の画像形成装置。
【請求項６】
所定間隔を存して平行に配設される複数の像担持体と、
これら複数の像担持体上に現像剤像を形成する複数の現像剤像形成手段と、
駆動ローラと従動ローラとの間に掛け渡されて前記複数の像担持体に対向して配置され、走行することにより前記複数の像担持体に対し順次、転写材を搬送するベルトと、
前記駆動ローラと従動ローラの少なくとも一方の端面に平行に設けられ、前記ベルトの走行時にその端縁を規制面に摺動させて前記ベルトの蛇行を規制する規制手段と、
を具備し、
前記規制手段の規制面と該規制面に摺動する前記ベルトの端縁が前記規制面を中心として該規制面に直交する方向に±５０μｍの範囲内に位置することを特徴とする画像形成装置。
【請求項７】
所定間隔を存して平行に配設される複数の像担持体と、
これら複数の像担持体上に現像剤像を形成する複数の現像剤像形成手段と、
駆動ローラと従動ローラとの間に掛け渡されて前記複数の像担持体に対向して配置され、走行することにより前記複数の像担持体に対し順次、転写材を搬送するベルトと、
前記駆動ローラと従動ローラの少なくとも一方の端面に平行に設けられ、前記ベルトの走行時にその端縁を規制面に摺動させて前記ベルトの蛇行を規制する規制手段と、
を具備し、
前記規制手段の規制面と該規制面に摺動する前記ベルトの端縁が、前記規制面の転写材搬送方向最下流位置から上流側へ最大仕様サイズの転写材搬送方向の長さ寸法だけ離間する部位の間で、前記規制面を中心として該規制面に直交する方向に±５０μｍの範囲内に位置することを特徴とする画像形成装置。
【請求項８】
所定間隔を存して平行に配設される複数の像担持体と、
これら複数の像担持体上に現像剤像を形成する複数の現像剤像形成手段と、
駆動ローラと従動ローラとの間に掛け渡されて前記複数の像担持体に対向して配置され、走行することにより前記複数の像担持体に対し順次、転写材を搬送するベルトと、
前記駆動ローラと従動ローラの少なくとも一方の端面に平行に設けられ、前記ベルトの走行時にその端縁を規制面に摺動させて前記ベルトの蛇行を規制する規制手段と、
を具備し、
前記ベルトの幅方向の縦弾性係数をＥＢ、前記規制手段のベルト幅方向の縦弾性係数をＥＳとするとき、前記ＥＢと前記ＥＳは、
ＥＳ＞ＥＢ
の関係があり、かつ、ＥＳは６７００ｋｇ／ｍｍ2 以上の材質である事を特徴とする画像形成装置。
【請求項９】
所定間隔を存して平行に配設される複数の像担持体と、
これら複数の像担持体上に現像剤像を形成する複数の現像剤像形成手段と、
駆動ローラと従動ローラとの間に掛け渡されて前記複数の像担持体に対向して配置され、走行することにより前記複数の像担持体に対し順次、転写材を搬送するベルトと、
前記駆動ローラと従動ローラの少なくとも一方の端面に平行に設けられ、前記ベルトの走行時にその端縁を規制面に摺動させて前記ベルトの蛇行を規制する規制手段と、
この規制手段を保持する保持手段と、
を具備し、
前記ベルトの幅方向の縦弾性係数をＥＢ、前記保持手段のベルト幅方向の縦弾性係数をＥＦとするとき、前記ＥＢと前記ＥＦは、
ＥＦ＞ＥＢ
の関係があり、かつ、ＥＦは６７００ｋｇ／ｍｍ2 以上の材質である事を特徴とする画像形成装置。
【請求項１０】
所定間隔を存して平行に配設される複数の像担持体と、
これら複数の像担持体上に現像剤像を形成する複数の現像剤像形成手段と、
駆動ローラと従動ローラとの間に掛け渡されて前記複数の像担持体に対向して配置され、走行することにより前記複数の像担持体に対し順次、転写材を搬送するベルトと、
前記駆動ローラと従動ローラの少なくとも一方の端面に平行に設けられ、前記ベルトの走行時にその端縁を規制面に摺動させて前記ベルトの蛇行を規制する規制手段と、
この規制手段を保持する保持手段と、
を具備し、
前記ベルトの幅方向の縦弾性係数をＥＢ、前記規制手段のベルト幅方向の縦弾性係数をＥＳ、前記保持手段のベルト幅方向の縦弾性係数をＥＦとするとき、前記ＥＢと前記ＥＳと前記ＥＦは、
ＥＦ≧ＥＳ＞ＥＢ
の関係があり、かつ、ＥＳ及びＥＦは６７００ｋｇ／ｍｍ2 以上の材質である事を特徴とする画像形成装置。
【請求項１１】
所定間隔を存して平行に配設される複数の像担持体と、
これら複数の像担持体上に現像剤像を形成する複数の現像剤像形成手段と、
駆動ローラと従動ローラとの間に掛け渡されて前記複数の像担持体に対向して配置され、走行することにより前記複数の像担持体に対し順次、転写材を搬送するベルトと、
前記駆動ローラの端面に平行に設けられ、前記ベルトの走行時にその端縁を第１の規制面に摺動させて前記ベルトの蛇行を規制する第１の規制手段と、
前記従動ローラの端面に平行に設けられ、前記ベルトの走行時にその端縁を前記第１の規制面よりも前記ベルトの幅方向外側に位置する第２の規制面に摺動させて前記ベルトの蛇行を規制する第２の規制手段と、
を具備することを特徴とする画像形成装置。
【請求項１２】
像担持体と、
この像担持体上に現像剤像を形成する現像剤像形成手段と、
駆動ローラと従動ローラとの間に掛け渡されて前記像担持体に対向して配置されるベルトと、
前記駆動ローラと従動ローラの少なくとも一方の端面に平行に設けられ、前記ベルトの走行時にその端縁を規制面に摺動させて前記ベルトの蛇行を規制する規制手段と、
この規制手段に突設されて前記ベルトに離間対向し、前記ベルトの走行時にその端縁が捲れ上がらないようにガイドするガイド部と、
を具備することを特徴とする画像形成装置。
【請求項１３】
像担持体と、
この像担持体上に現像剤像を形成する現像剤像形成手段と、
駆動ローラと従動ローラとの間に掛け渡されて前記像担持体に対向して配置されるベルトと、
前記駆動ローラと従動ローラの少なくとも一方の端面に平行に設けられ、前記ベルトの走行時にその端縁を規制面に摺動させて前記ベルトの蛇行を規制する規制手段と、
を具備し、
前記規制手段の規制面と該規制面に摺動する前記ベルトの端縁が、前記規制面の転写材搬送方向最下流位置から上流側へ最大仕様サイズの転写材搬送方向の長さ寸法だけ離間する部位の間で、前記規制面を中心として該規制面に直交する方向に±５０μｍの範囲内に位置することを特徴とする画像形成装置。
【請求項１４】
像担持体と、
この像担持体上に現像剤像を形成する現像剤像形成手段と、
駆動ローラと従動ローラとの間に掛け渡されて前記像担持体に対向して配置されるベルトと、
前記駆動ローラと従動ローラの少なくとも一方の端面に平行に設けられ、前記ベルトの走行時にその端縁を規制面に摺動させて前記ベルトの蛇行を規制する規制手段と、
を具備し、
前記ベルトの幅方向の縦弾性係数をＥＢ、前記規制手段のベルト幅方向の縦弾性係数をＥＳとするとき、前記ＥＢと前記ＥＳは、
ＥＳ＞ＥＢ
の関係があり、かつ、ＥＳは６７００ｋｇ／ｍｍ2 以上の材質である事を特徴とする画像形成装置。
【請求項１５】
像担持体と、
この像担持体上に現像剤像を形成する現像剤像形成手段と、
駆動ローラと従動ローラとの間に掛け渡されて前記像担持体に対向して配置されるベルトと、
前記駆動ローラと従動ローラの少なくとも一方の端面に平行に設けられ、前記ベルトの走行時にその端縁を規制面に摺動させて前記ベルトの蛇行を規制する規制手段と、
この規制手段を保持する保持手段と、
を具備し、
前記ベルトの幅方向の縦弾性係数をＥＢ、前記保持手段のベルト幅方向の縦弾性係数をＥＦとするとき、前記ＥＢと前記ＥＦは、
ＥＦ＞ＥＢ
の関係があり、かつ、ＥＦは６７００ｋｇ／ｍｍ2 以上の材質である事を特徴とする画像形成装置。
【請求項１６】
像担持体と、
この像担持体上に現像剤像を形成する現像剤像形成手段と、
駆動ローラと従動ローラとの間に掛け渡されて前記像担持体に対向して配置されるベルトと、
前記駆動ローラと従動ローラの少なくとも一方の端面に平行に設けられ、前記ベルトの走行時にその端縁を規制面に摺動させて前記ベルトの蛇行を規制する規制手段と、
この規制手段を保持する保持手段と、
を具備し、
前記ベルトの幅方向の縦弾性係数をＥＢ、前記規制手段のベルト幅方向の縦弾性係数をＥＳ、前記保持手段のベルト幅方向の縦弾性係数をＥＦとするとき、前記ＥＢと前記ＥＳと前記ＥＦは、
ＥＦ≧ＥＳ＞ＥＢ
の関係があり、かつ、ＥＳ及びＥＦは６７００ｋｇ／ｍｍ2 以上の材質である事を特徴とする画像形成装置。
【手続補正２】
【補正対象書類名】明細書
【補正対象項目名】００１１
【補正方法】変更
【補正の内容】
【００１１】
【課題を解決するための手段】
本発明は上記課題を解決するため、請求項１記載のものは、所定間隔を存して平行に配設される複数の像担持体と、これら複数の像担持体上に現像剤像を形成する複数の現像剤像形成手段と、駆動ローラと従動ローラとの間に掛け渡されて前記複数の像担持体に対向して配置され、走行することにより前記複数の像担持体に対し順次、転写材を搬送するベルトと、前記駆動ローラと従動ローラの少なくとも一方の端面に平行に設けられ、前記ベルトの走行時にその端縁を規制面に摺動させて前記ベルトの蛇行を規制する規制手段と、この規制手段に突設されて前記ベルトに離間対向し、前記ベルトの走行時にその端縁が捲れ上がらないようにガイドするガイド部とを具備することを特徴とする画像形成装置。
【手続補正３】
【補正対象書類名】明細書
【補正対象項目名】００１２
【補正方法】変更
【補正の内容】
【００１２】
請求項６記載のものは、所定間隔を存して平行に配設される複数の像担持体と、これら複数の像担持体上に現像剤像を形成する複数の現像剤像形成手段と、駆動ローラと従動ローラとの間に掛け渡されて前記複数の像担持体に対向して配置され、走行することにより前記複数の像担持体に対し順次、転写材を搬送するベルトと、前記駆動ローラと従動ローラの少なくとも一方の端面に平行に設けられ、前記ベルトの走行時にその端縁を規制面に摺動させて前記ベルトの蛇行を規制する規制手段とを具備し、前記規制手段の規制面と該規制面に摺動する前記ベルトの端縁が前記規制面を中心として該規制面に直交する方向に±５０μｍの範囲内に位置することを特徴とする画像形成装置。
【手続補正４】
【補正対象書類名】明細書
【補正対象項目名】００１３
【補正方法】変更
【補正の内容】
【００１３】
請求項７記載のものは、所定間隔を存して平行に配設される複数の像担持体と、これら複数の像担持体上に現像剤像を形成する複数の現像剤像形成手段と、駆動ローラと従動ローラとの間に掛け渡されて前記複数の像担持体に対向して配置され、走行することにより前記複数の像担持体に対し順次、転写材を搬送するベルトと、前記駆動ローラと従動ローラの少なくとも一方の端面に平行に設けられ、前記ベルトの走行時にその端縁を規制面に摺動させて前記ベルトの蛇行を規制する規制手段とを具備し、前記規制手段の規制面と該規制面に摺動する前記ベルトの端縁が、前記規制面の転写材搬送方向最下流位置から上流側へ最大仕様サイズの転写材搬送方向の長さ寸法だけ離間する部位の間で、前記規制面を中心として該規制面に直交する方向に±５０μｍの範囲内に位置することを特徴とする画像形成装置。
【手続補正５】
【補正対象書類名】明細書
【補正対象項目名】００１４
【補正方法】変更
【補正の内容】
【００１４】
請求項８記載のものは、所定間隔を存して平行に配設される複数の像担持体と、これら複数の像担持体上に現像剤像を形成する複数の現像剤像形成手段と、駆動ローラと従動ローラとの間に掛け渡されて前記複数の像担持体に対向して配置され、走行することにより前記複数の像担持体に対し順次、転写材を搬送するベルトと、前記駆動ローラと従動ローラの少なくとも一方の端面に平行に設けられ、前記ベルトの走行時にその端縁を規制面に摺動させて前記ベルトの蛇行を規制する規制手段とを具備し、前記ベルトの幅方向の縦弾性係数をＥＢ、前記規制手段のベルト幅方向の縦弾性係数をＥＳとするとき、前記ＥＢと前記ＥＳは、ＥＳ＞ＥＢの関係があり、かつ、ＥＳは６７００ｋｇ／ｍｍ2 以上の材質である事を特徴とする画像形成装置。
【手続補正６】
【補正対象書類名】明細書
【補正対象項目名】００１５
【補正方法】変更
【補正の内容】
【００１５】
請求項９記載のものは、所定間隔を存して平行に配設される複数の像担持体と、これら複数の像担持体上に現像剤像を形成する複数の現像剤像形成手段と、駆動ローラと従動ローラとの間に掛け渡されて前記複数の像担持体に対向して配置され、走行することにより前記複数の像担持体に対し順次、転写材を搬送するベルトと、前記駆動ローラと従動ローラの少なくとも一方の端面に平行に設けられ、前記ベルトの走行時にその端縁を規制面に摺動させて前記ベルトの蛇行を規制する規制手段と、この規制手段を保持する保持手段とを具備し、前記ベルトの幅方向の縦弾性係数をＥＢ、前記保持手段のベルト幅方向の縦弾性係数をＥＦとするとき、前記ＥＢと前記ＥＦは、ＥＦ＞ＥＢの関係があり、かつ、ＥＦは６７００ｋｇ／ｍｍ2 以上の材質である事を特徴とする画像形成装置。
【手続補正７】
【補正対象書類名】明細書
【補正対象項目名】００１６
【補正方法】変更
【補正の内容】
【００１６】
請求項１０記載のものは、所定間隔を存して平行に配設される複数の像担持体と、これら複数の像担持体上に現像剤像を形成する複数の現像剤像形成手段と、駆動ローラと従動ローラとの間に掛け渡されて前記複数の像担持体に対向して配置され、走行することにより前記複数の像担持体に対し順次、転写材を搬送するベルトと、前記駆動ローラと従動ローラの少なくとも一方の端面に平行に設けられ、前記ベルトの走行時にその端縁を規制面に摺動させて前記ベルトの蛇行を規制する規制手段と、この規制手段を保持する保持手段とを具備し、前記ベルトの幅方向の縦弾性係数をＥＢ、前記規制手段のベルト幅方向の縦弾性係数をＥＳ、前記保持手段のベルト幅方向の縦弾性係数をＥＦとするとき、前記ＥＢと前記ＥＳと前記ＥＦは、ＥＦ≧ＥＳ＞ＥＢの関係があり、かつ、ＥＳ及びＥＦは６７００ｋｇ／ｍｍ2 以上の材質である事を特徴とする画像形成装置。
【手続補正８】
【補正対象書類名】明細書
【補正対象項目名】００１７
【補正方法】変更
【補正の内容】
【００１７】
請求項１１記載のものは、所定間隔を存して平行に配設される複数の像担持体と、これら複数の像担持体上に現像剤像を形成する複数の現像剤像形成手段と、駆動ローラと従動ローラとの間に掛け渡されて前記複数の像担持体に対向して配置され、走行することにより前記複数の像担持体に対し順次、転写材を搬送するベルトと、前記駆動ローラの端面に平行に設けられ、前記ベルトの走行時にその端縁を第１の規制面に摺動させて前記ベルトの蛇行を規制する第１の規制手段と、前記従動ローラの端面に平行に設けられ、前記ベルトの走行時にその端縁を前記第１の規制面よりも前記ベルトの幅方向外側に位置する第２の規制面に摺動させて前記ベルトの蛇行を規制する第２の規制手段とを具備することを特徴とする画像形成装置。
請求項１２記載のものは、像担持体と、この像担持体上に現像剤像を形成する現像剤像形成手段と、駆動ローラと従動ローラとの間に掛け渡されて前記像担持体に対向して配置されるベルトと、前記駆動ローラと従動ローラの少なくとも一方の端面に平行に設けられ、前記ベルトの走行時にその端縁を規制面に摺動させて前記ベルトの蛇行を規制する規制手段と、この規制手段に突設されて前記ベルトに離間対向し、前記ベルトの走行時にその端縁が捲れ上がらないようにガイドするガイド部とを具備することを特徴とする画像形成装置。
請求項１３記載のものは、像担持体と、この像担持体上に現像剤像を形成する現像剤像形成手段と、駆動ローラと従動ローラとの間に掛け渡されて前記像担持体に対向して配置されるベルトと、前記駆動ローラと従動ローラの少なくとも一方の端面に平行に設けられ、前記ベルトの走行時にその端縁を規制面に摺動させて前記ベルトの蛇行を規制する規制手段とを具備し、前記規制手段の規制面と該規制面に摺動する前記ベルトの端縁が、前記規制面の転写材搬送方向最下流位置から上流側へ最大仕様サイズの転写材搬送方向の長さ寸法だけ離間する部位の間で、前記規制面を中心として該規制面に直交する方向に±５０μｍの範囲内に位置することを特徴とする画像形成装置。
請求項１４記載のものは、像担持体と、この像担持体上に現像剤像を形成する現像剤像形成手段と、駆動ローラと従動ローラとの間に掛け渡されて前記像担持体に対向して配置されるベルトと、前記駆動ローラと従動ローラの少なくとも一方の端面に平行に設けられ、前記ベルトの走行時にその端縁を規制面に摺動させて前記ベルトの蛇行を規制する規制手段と、を具備し、前記ベルトの幅方向の縦弾性係数をＥＢ、前記規制手段のベルト幅方向の縦弾性係数をＥＳとするとき、前記ＥＢと前記ＥＳは、ＥＳ＞ＥＢの関係があり、かつ、ＥＳは６７００ｋｇ／ｍｍ2 以上の材質である事を特徴とする画像形成装置。
請求項１５記載のものは、像担持体と、この像担持体上に現像剤像を形成する現像剤像形成手段と、駆動ローラと従動ローラとの間に掛け渡されて前記像担持体に対向して配置されるベルトと、前記駆動ローラと従動ローラの少なくとも一方の端面に平行に設けられ、前記ベルトの走行時にその端縁を規制面に摺動させて前記ベルトの蛇行を規制する規制手段と、この規制手段を保持する保持手段とを具備し、前記ベルトの幅方向の縦弾性係数をＥＢ、前記保持手段のベルト幅方向の縦弾性係数をＥＦとするとき、前記ＥＢと前記ＥＦは、ＥＦ＞ＥＢの関係があり、かつ、ＥＦは６７００ｋｇ／ｍｍ2 以上の材質である事を特徴とする画像形成装置。
請求項１６記載のものは、像担持体と、この像担持体上に現像剤像を形成する現像剤像形成手段と、駆動ローラと従動ローラとの間に掛け渡されて前記像担持体に対向して配置されるベルトと、前記駆動ローラと従動ローラの少なくとも一方の端面に平行に設けられ、前記ベルトの走行時にその端縁を規制面に摺動させて前記ベルトの蛇行を規制する規制手段と、この規制手段を保持する保持手段とを具備し、前記ベルトの幅方向の縦弾性係数をＥＢ、前記規制手段のベルト幅方向の縦弾性係数をＥＳ、前記保持手段のベルト幅方向の縦弾性係数をＥＦとするとき、前記ＥＢと前記ＥＳと前記ＥＦは、ＥＦ≧ＥＳ＞ＥＢの関係があり、かつ、ＥＳ及びＥＦは６７００ｋｇ／ｍｍ2 以上の材質である事を特徴とする画像形成装置。